(57)【要約】【課題】排水口の大きさを変えることなく、雨水等の排水が流れ込む排水口の排水をスムーズに行うようにする。【解決手段】排水が流れ込む排水口に整流棒体を突設したことを特徴とする排水構造。【選択図】図１
2007063838.tif 000002
【特許請求の範囲】
【請求項１】
排水が流れ込む排水口に整流棒体を突設したことを特徴とする排水構造。
【請求項２】
請求項１において、
整流棒体の外周胴部にらせん溝を形成したことを特徴とする排水構造。
【請求項３】
請求項１又は２の何れかにおいて、
整流棒体が中空管体にて形成されていることを特徴とする排水構造。
【請求項４】
請求項１〜３の何れかにおいて、
排水口が、雨樋集水器の排水口であることを特徴とする排水構造。
【発明の詳細な説明】
【技術分野】
【０００１】
本発明は、例えば、雨水等の排水が流れ込む排水口の排水をスムーズに行うための排水構造に関する。
【背景技術】
【０００２】
一般に、排水が流れ込む排水口は、単に円形に開設されており、この排水口に管状の排水管が連結された構造になっている。例えば、屋根上の雨水を排水する排水構造では、雨樋の下流端に雨樋集水器が設置され、この雨樋集水器の底面には、円形の排水口が開設されるとともに、前記排水口に、竪樋を連通させ、前記雨樋集水器に集水された雨水等を前記竪樋を通じて排水される構造にしている（例えば、特許文献１参照。）。
【特許文献１】特開平８−１０９７１４号
【発明の開示】
【発明が解決しようとする課題】
【０００３】
ところが、前記雨樋集水器に集水された雨水等は、その排水口の大きさに比例して排水されるが、豪雨などのように多量の雨水等が流れ込んだ場合には、前記雨樋集水器の排水口から排水される量よりも、前記雨樋集水器に集水される雨量の方が多くなってしまい、雨樋集水器から雨水等が溢れ出すという問題がある。
【０００４】
また、前記雨樋集水器に限らず、例えば、雨水を処理する下水管等の排水構造であっても同様の問題が生じる。
【０００５】
一方、排水口の口径を大きくすれば、排水量も増すが、これでは、前記雨樋集水器（或いは下水管等）が大型化してしまうという問題がある。
【０００６】
本発明は、かかる課題を解決することを目的としたものであり、排水口の大きさを変えることなく、雨水等の排水が流れ込む排水口の排水をスムーズに行うことができる排水構造を提供する。
【課題を解決するための手段】
【０００７】
上記目的を達成するため、
請求項１に係る排水構造は、排水が流れ込む排水口に整流棒体を突設したことを特徴とする。
【０００８】
請求項２に係る排水構造は、請求項１において、整流棒体の外周胴部にらせん溝を形成したことを特徴とする。
【０００９】
請求項３に係る排水構造は、請求項１又は２の何れかにおいて、整流棒体が中空管体にて形成されていることを特徴とする。
【００１０】
請求項４に係る排水構造は、請求項１〜３の何れかにおいて、排水口が、雨樋集水器の排水口であることを特徴とする。
【発明の効果】
【００１１】
本発明によれば、次のような効果がある。
請求項１に係る排水構造によれば、排水が流れ込む排水口に整流棒体を突設してなるので、排水口近傍に集水された排水が、整流棒体によって排水管に誘導され、排水口の大きさを変えることなく、排水口の排水をスムーズに行うことができる。従って、豪雨などのように多量の雨水等が生じた場合でも、雨樋集水器から雨水等が溢れ出したり、或いは、下水管に通じる排水口で雨水等が溢れ出すことを防止できる。
【００１２】
請求項２に係る排水構造によれば、整流棒体の外周胴部にらせん溝を形成しているので、雨水等の排水が、らせん溝によって誘導され易くなり、排水口の排水を更にスムーズに行うことができる。
【００１３】
請求項３に係る排水構造によれば、整流棒体が中空管体にて形成されているので、整流棒体を軽量化でき、屋根上に設置される雨樋集水器などでは、その設置を容易にできる。
【００１４】
請求項４に係る排水構造によれば、排水口が、雨樋集水器の排水口であるので、雨樋集水器から雨水等が溢れ出したりすることを防止できる。
【発明を実施するための最良の形態】
【００１５】
以下、本発明に係る排水構造Ａを図面とともに説明する。
【実施例１】
【００１６】
図１は、本発明に係る排水構造Ａの一実施例を示す使用状態図、図２は、図１で示した排水構造Ａの要部を拡大した概略断面図である。
【００１７】
ここでは、屋根上の雨水を排水する雨樋集水器の排水構造Ａを例示して説明するが、下水管等に通じる排水口等にも用いることができる。
【００１８】
この排水構造Ａは、雨水等の排水が流れ込む排水口１に整流棒体２を突設したことを特徴とする。
【００１９】
すなわち、家屋等の屋根には、屋根上の雨水を雨樋Ｔに集水し、この雨樋Ｔの下流端に集水器Ｓを連結している。
【００２０】
集水器Ｓは、上方が開放された箱状に形成されており、その一側壁には、雨樋Ｔの下流端が連通され、また、中央底面には、貫通された円形の排水口１が形成されている。
【００２１】
ここで、集水器Ｓとは、本実施例で例示した雨樋集水器に限定されるものではなく、例えば、受け升、ドレン、チーズ等の雨樋集水器具の総称を意味している。なお、集水器Ｓの形状も丸型、角型などに限定されるものではない。
【００２２】
また、排水口１には、これを竪樋Ｔ１に連結させるためのドレンエルボ３が介在されており、このドレンエルボ３の上端を排水口１に外嵌すると共に、その下端を竪樋Ｔ１の上端部に内嵌している。
【００２３】
このドレンエルボ３は、断面略Ｌ型或いは略Ｔ型に形成しており、排水口１の直下に位置される曲部３１には、開口部３２を開設している。
【００２４】
この開口部３２は、これを封止可能な蓋体３３が着脱自在に取り付けられる構造にしており、この蓋体３３が開口部３２に着脱自在に取り付けられるものであれば、その構造は問わない。具体的には、例えば、開口部３２の外面に係止溝３４を形成し、蓋体３３の内面に、係止溝３４に係止可能な係止部３５を形成しておき、この係止部３５を係止溝３４に係脱することで蓋体３３を開口部３２に着脱自在にしたり、或いは、開口部３２の外面に溝部（不図示）を形成し、蓋体３３の内面に、前記溝部（不図示）に螺合するネジ山（不図示）を形成して、蓋体３３を開口部３２に着脱自在にすれば良い。
【００２５】
このように形成された蓋体３３内面の中央には、棒状の整流棒体２が鉛直方向に向けて立設されており、この整流棒体２の上端は、少なくとも排水口１よりも上方に突設されている。
【００２６】
ここでの整流棒体２は、蓋体３２の底壁中央に固着したものを例示しているが、この整流棒体２を蓋体３２と着脱可能に形成しても構わない。
【００２７】
また、整流棒体２は、図１で示すような単なる棒体であっても構わないが、図３（ａ）、（ｂ）で示すように、整流棒体２の外周胴部に、らせん溝２１を形成しても良い。
【００２８】
更に、整流棒体２は、中実の棒体であっても構わないが、この整流棒体２を中空管体にて形成すれば、軽量化できるので、屋根上に設置される集水器Ｓなどには好ましい。
【００２９】
上記の如く構成した本発明の排水構造Ａは、以下のように作用する。
【００３０】
すなわち、図１、２で示す通り、雨樋Ｔ等で集水された雨水は、集水器Ｓに集水されるが、この集水器Ｓの排水口１の中央には、整流棒体２が突設されている。
【００３１】
そのため、集水器Ｓ内に流れ込んだ雨水は、整流棒体２の整流作用によって排水口１内に誘導され、集水器Ｓ内に雨水が滞留することなく、排水口１からスムーズに排水されるのである。
【００３２】
図４は、本発明に係る排水構造Ａの他の実施例を示す概略図であり、図４（ａ）は、単なる曲管３’に整流棒体２を鉛直方向に向けて立設した場合の側面図及び縦断面図、図４（ｂ）は、直管３’’に整流棒体２を鉛直方向に向けて立設した場合の側面図、縦断面図、及び要部の横断面図を各々示している。
【００３３】
なお、図１〜図３と共通する部位には、同一の番号を付し、ここでは、本実施例の特徴についてのみ説明する。
【００３４】
すなわち、図４（ａ）では、単なる曲管３’における排出口１中心の鉛直下の内壁に、整流棒体２の下端を固着し、この整流棒体２を排出口１の中心に立設したものを示している。また、図４（ａ）では、直管３’’における排出口１下方に、この直管３’’の内壁から中心に向けて４本の支持片２２を延設し、これら支持片２２の先端に整流棒体２を固着し、この整流棒体２を排出口１の中心に立設したのものを示している。
【００３５】
このように、排水口１が、どのような形状或いは構造のものに形成されていても、この排水口１の中心位置に整流棒体２を突設することができるので、排水口１近傍に集水された排水は、整流棒体２によって下流側にスムーズに誘導され、排水口１の排水をスムーズに行うことができる。従って、豪雨などのように多量の雨水等が生じた場合でも、雨樋集水器Ｓから雨水等が溢れ出したり、或いは、下水管に通じる排水口１で雨水等が溢れ出すことを防止できる。
【００３６】
図５は、本発明に係る排水構造Ａの排水試験データを示す試験結果図である。
【００３７】
この排水試験図の（Ａ）は、長さ２ｍの雨樋（軒とい）の中間に集水器Ｓを図１、２のように設置しておき、これに１６０ｍｍ／ｈの雨水に相当する水を流し込んだ際の排出時間を測定したものである。
【００３８】
この試験結果図からも理解できる通り、通常エルボによる排水時間が平均１１．０６秒であるのに対し、本発明に係る排水構造Ａ（ここでは、「ドレンエルボ棒付」、「ドレンエルボに上部よりパイプ」と表示）によれば、平均８．７３秒又は８．５６秒で排水処理することができ、その排水がスムーズに行われていることが証明されている。
【００３９】
なお、排水試験表の（Ｂ）は、雨樋（軒とい）の長さを３、６ｍに伸ばして、更に集水量を増したものであるが、その排水処理の結果は、前記（Ａ）と同じく、本発明に係る排水構造Ａの方が、スムーズに排水されることが証明されている。
【図面の簡単な説明】
【００４０】
【図１】本発明に係る排水構造Ａの一実施例を示す使用状態図である。
【図２】図１で示した排水構造Ａの要部を拡大した概略断面図である。
【図３】（ａ）、（ｂ）は、本発明に係る整流棒体２の他の実施例を示す斜視図である。
【図４】（ａ）、（ｂ）は、本発明に係る排水構造Ａの他の実施例を示す概略図である。
【図５】本発明に係る排水構造Ａの排水試験データを示す試験結果図である。
【符号の説明】
【００４１】
Ａ      排水構造
Ｓ      雨樋集水器
Ｔ      雨樋
１      排水口
２      整流棒体
２１    らせん溝
【図１】
2007063838.tif 000003
【図２】
2007063838.tif 000004
【図３】
2007063838.tif 000005
【図４】
2007063838.tif 000006
【図５】
2007063838.tif 000007